(57)【特許請求の範囲】
【請求項１】
長手方向側面に複数の遊技機が列設される島台本体が遊技場の床面上に設けられる土台に固定されると共に、前記島台本体の下側部分が短手方向に貫通するように空洞化された遊技島台の構造であって、
前記土台は、
アンカーボルトによって前記床面上に固定される金属製の複数のアンカーベースを備え、
前記島台本体は、
前記複数のアンカーベースの各々に対して、直接的に又は前記アンカーベースに取り付けられる金属柱を介して間接的に前記床面上に対し垂直状に取り付けられ且つ短手方向に所定間隔を有した一対の本柱からなる木製の複数の本柱ユニットと、
前記島台本体の長手方向において隣り合う２つの前記本柱ユニットの間に配置され且つ列設される遊技機の横幅寸法とほぼ同等の寸法の間隔を有して配置されてその下端が前記床面から所定間隔あけて前記床面上に対し垂直状に配置され且つ短手方向に所定間隔を有した一対の浮き柱からなる木製の浮き柱ユニットと、
前記複数の本柱ユニット及び前記浮き柱ユニットと直交した状態で当該各ユニットの柱を連結するように架け渡されて前記各ユニットの柱の外側面に取り付けられる木製の桟木と、
前記複数の本柱ユニット及び前記浮き柱ユニットと直交した状態で当該各ユニットの柱を連結するように架け渡されて前記各ユニットの柱の外側面に取り付けられ、前記遊技機及び該遊技機から払い出されるパチンコ玉を収容するための玉箱、又は前記遊技機としてのスロット機の筐体を載置する長板形状のカウンター板と、
前記本柱及び前記浮き柱とほぼ同一の厚み寸法に形成されると共に、当該各柱の外側面に取り付けられて前記カウンター板をその下面側から支持する支持板と、
前記カウンター板の上面を前記浮き柱の外側面とを連結する連結具と、
前記カウンター板の高さ位置から前記浮き柱の下端位置までの高さ寸法を有すると共に前記各ユニットの柱を連結するように架け渡されて当該各ユニットの柱の内側面に取り付けられる一対の側壁板と、該一対の側壁板の下端を連結する底壁板と、を有して、前記遊技機から排出されるパチンコ玉やコインを回収する回収手段の収納空間を形成する収納空間形成部材と、を備え、
前記収納空間の下端位置から下方の部分が前記空洞化された領域として形成されることを特徴とする遊技島台の構造。
【請求項２】
前記島台本体は、さらに、前記カウンター板の下面と前記支持板の上端面との間に介在されて前記各ユニットの柱を連結するように架け渡される金属製の補強材を備えることを特徴とする請求項１記載の遊技島台の構造。
【発明の詳細な説明】
【技術分野】
【０００１】
本発明は、長手方向側面に複数の遊技機が列設される島台本体が遊技場の床面上に設けられる土台に固定されると共に、前記島台本体の下側部分が空洞化された遊技島台の構造に関するものである。
【背景技術】
【０００２】
従来、一般に、複数の遊技機が列設される遊技島台の島台本体は、垂直状に立設される木製の複数の支柱と該複数の支柱間を水平状に架け渡される木製の複数の桟木とが直方体状に枠組みして構成される。このような島台本体には、特許文献１に開示されているように、遊技機下側となるカウンター板の下方に配置される腰板と遊技場の床面との間に遊技者の足先を入れ込むのに充分な隙間を設けて空洞化したものや、特許文献２に開示されているように、島台本体の支柱として金属製のものを用いることで一般的な木製の支柱に比べて剛性を高め、これによって腰板を設けることなくカウンター板の下方空間を広く空洞化したものが提案されている。なお、このように島台本体の下側部分を空洞化した構成では、遊技島台を含んだ遊技場全体での空気循環を良くすることができるという効果がある。
【先行技術文献】
【特許文献】
【０００３】
【特許文献１】実開昭５１−１３８８０号公報（図１、図２）
【特許文献２】特開２００９−２９１３８４号公報（図２）
【発明の概要】
【発明が解決しようとする課題】
【０００４】
ところで、上記した下側部分を空洞化した島台本体において、特許文献１の構成では、木製の支柱を用いることで補修や修繕を行うような場合でもその軽量な材質から比較的容易に作業を行うことができる。しかしその反面、金属材料に比べて大幅に強度が落ちることで、島台本体の剛性が低下するという問題が生じる。具体的には、カウンター板上に載置される玉箱の過重はもとより、遊技機の前面枠を開放した際に遊技島台の外側にかかる過重や、遊技島台を点検する際に作業者がカウンター板に足をかけたときの過重等、多様な過重が島台本体にかかると、空洞化された部分で木製材料がしなってしまい、カウンター板の垂れ下がりに起因して島台本体に歪みや変形が生じるという問題が生じる。一方、特許文献２の構成は、その逆であり、島台本体の剛性を高めることができる反面、材質が重くなってしまうことで、支柱の搬入作業等を含めて補修や修繕における作業効率が低下するという問題が生じる。
本発明は、上記した事情に鑑みなされたもので、その目的とするところは、下側部分を空洞化した島台本体において、島台本体の補修や修繕における作業効率を低下させることなく、島台本体の剛性を高めることができる遊技島台の構造を提供することにある。
【課題を解決するための手段】
【０００５】
上記した目的を達成するために、請求項１の発明においては、長手方向側面に複数の遊技機が列設される島台本体が遊技場の床面上に設けられる土台に固定されると共に、前記島台本体の下側部分が短手方向に貫通するように空洞化された遊技島台の構造であって、前記土台は、アンカーボルトによって前記床面上に固定される金属製の複数のアンカーベースを備え、前記島台本体は、前記複数のアンカーベースの各々に対して、直接的に又は前記アンカーベースに取り付けられる金属柱を介して間接的に前記床面上に対し垂直状に取り付けられ且つ短手方向に所定間隔を有した一対の本柱からなる木製の複数の本柱ユニットと、前記島台本体の長手方向において隣り合う２つの前記本柱ユニットの間に配置され且つ列設される遊技機の横幅寸法とほぼ同等の寸法の間隔を有して配置されてその下端が前記床面から所定間隔あけて前記床面上に対し垂直状に配置され且つ短手方向に所定間隔を有した一対の浮き柱からなる木製の浮き柱ユニットと、前記複数の本柱ユニット及び前記浮き柱ユニットと直交した状態で当該各ユニットの柱を連結するように架け渡されて前記各ユニットの柱の外側面に取り付けられる木製の桟木と、前記複数の本柱ユニット及び前記浮き柱ユニットと直交した状態で当該各ユニットの柱を連結するように架け渡されて前記各ユニットの柱の外側面に取り付けられ、前記遊技機及び該遊技機から払い出されるパチンコ玉を収容するための玉箱、又は前記遊技機としてのスロット機の筐体を載置する長板形状のカウンター板と、前記本柱及び前記浮き柱とほぼ同一の厚み寸法に形成されると共に、当該各柱の外側面に取り付けられて前記カウンター板をその下面側から支持する支持板と、前記カウンター板の上面を前記浮き柱の外側面とを連結する連結具と、前記カウンター板の高さ位置から前記浮き柱の下端位置までの高さ寸法を有すると共に前記各ユニットの柱を連結するように架け渡されて当該各ユニットの柱の内側面に取り付けられる一対の側壁板と、該一対の側壁板の下端を連結する底壁板と、を有して、前記遊技機から排出されるパチンコ玉やコインを回収する回収手段の収納空間を形成する収納空間形成部材と、を備え、前記収納空間の下端位置から下方の部分が前記空洞化された領域として形成されることを特徴とする。
【０００６】
また、請求項２の発明においては、請求項１記載の遊技島台の構造において、前記島台本体は、さらに、前記カウンター板の下面と前記支持板の上端面との間に介在されて前記各ユニットの柱を連結するように架け渡される金属製の補強材を備えることを特徴とする。
【発明の効果】
【０００７】
請求項１の発明においては、土台を構成する複数のアンカーベースの各々に対して、直接的に又はアンカーベースに取り付けられる金属柱を介して間接的に床面上に対し垂直状に取り付けられ且つ短手方向に所定間隔を有した一対の本柱からなる木製の複数の本柱ユニットと、島台本体の長手方向において隣り合う２つの本柱ユニットの間に配置され且つ列設される遊技機の横幅寸法とほぼ同等の寸法の間隔を有して配置されてその下端が床面から所定間隔あけて床面上に対し垂直状に配置され且つ短手方向に所定間隔を有した一対の浮き柱からなる木製の浮き柱ユニットと、によって島台本体を構成し、複数の本柱ユニット及び浮き柱ユニットと直交した状態で当該各ユニットの柱を木製の桟木及びカウンター板で連結する。そして、一対の側壁板及び底壁板からなる収納空間形成部材によってカウンター板の高さ位置から浮き柱の下端位置までの高さ寸法で回収手段の収納空間を形成して、該収納空間の下端位置から下方の部分を短手方向に貫通するように空洞化する。このため、下側部分を空洞化した島台本体の支柱を木製材料で構成することにより、島台本体の補修や修繕における作業効率の低下を抑制することができる。また、このような島台本体の下側部分を空洞化した構成において、各ユニットの柱の外側面に取り付けられた支持板によってカウンター板の下面側を支持すると共に、カウンター板の上面と該カウンター板の上面側における浮き柱の外側面とを連結具で連結する。これにより、金属材料に比べて大幅に強度が落ちる木製材料で島台本体の支柱を構成したにも拘わらず、島台本体の剛性を高めることができ、結果として、島台本体に歪みや変形が生じることを回避することができる。
【０００８】
また、請求項２の発明においては、カウンター板の下面と支持板の上端面との間で各ユニットの柱を連結するように金属製の補強材を介在して設ける。これにより、島台本体を構成する各ユニットの柱間に掛け渡されて各ユニット間を連結するようにして取り付けられるカウンター板の強度を高めることができ、結果として、下側部分を空洞化した島台本体の剛性をより一層高めることができる。
【図面の簡単な説明】
【０００９】
【図１】遊技島台の島台本体の内部構造を示す斜視図である。
【図２】遊技島台の島台本体の内部構造を示す一部分解斜視図である。
【図３】島台本体を構成する島台ユニットを示す斜視図である。
【図４】島台ユニットを構成する本柱ユニットを示す側面図である。
【図５】島台ユニットを構成する浮き柱ユニットを示す側面図である。
【図６】島台ユニットを示す側面斜視図である。
【図７】島台ユニットを示す一部分解斜視図である。
【図８】島台ユニットを示す部分拡大斜視図である。
【図９】島台ユニットを示す部分拡大斜視図である。
【図１０】島台ユニットを示す部分拡大斜視図である。
【図１１】本柱ユニット及び土台を示す一方斜視図である。
【図１２】本柱ユニット及び土台を示す他方斜視図である。
【発明を実施するための形態】
【００１０】
以下、図面を参照して本発明の実施形態について説明する。図１乃至図１２を参照して、本実施形態に係る遊技島台Ａの島台本体１の構成について説明する。図１は、島台本体１の内部構造を示す斜視図である。図２は、島台本体１の内部構造を示す一部分解斜視図である。図３は、島台本体１を構成する島台ユニット１ａを示す斜視図である。図４は、島台ユニット１ａを構成する本柱ユニット１４を示す側面図である。図５は、島台ユニット１ａを構成する浮き柱ユニット１５を示す側面図である。図６は、島台ユニット１ａを示す側面斜視図である。図７は、島台ユニット１ａを示す一部分解斜視図である。図８乃至図１０は、それぞれ島台ユニット１ａを示す部分拡大斜視図である。図１１は、本柱ユニット１４及び土台２を示す一方斜視図である。図１２は、本柱ユニット１４及び土台２を示す他方斜視図である。
【００１１】
図１及び図２に示すように、遊技島台Ａは、周知のように、遊技場の床面上に垂直状に立設される木製の複数の支柱３と、該複数の支柱３間を水平状に架け渡されるカウンター板６及び木製の複数の桟木４，５等とを直方体状に枠組み構成して長手方向側面に複数の遊技機（図示しない）が列設される島台本体１が、該島台本体１の長手方向に沿って所定間隔をあけて遊技場の床面上に並設される複数のアンカーベース４５（図１及び図２中には、３つのアンカーベース４５を図示）を備えてなる土台２に固定される。遊技場の床面は、概ね完全なる水平面ではなく若干なりとも波打った状態である。このため、土台２を構成する複数のアンカーベース４５は、その上面位置が水平となるように個々に高さ寸法が設定されて床面上に並設され、これによって島台本体１が床面上に垂直に設置されるようになっている。そして、複数のアンカーベース４５をそれぞれアンカーボルト４４で固定することにより直方体状に枠組み形成された島台本体１が遊技場の床面に固定される。なお、このような土台２の構成について後で詳述する。
【００１２】
島台本体１は、２つの島台ユニット１ａが相互に連結して構成されている。島台ユニット１ａは、図３乃至図６に示すように、所定間隔をおいて上部連結板１１、中央連結板１２、及び下部連結板１３で２本の支柱３が連結されてなる左右側端の本柱ユニット１４（図４参照）と、所定間隔をおいて上部連結板１１及び中央連結板１２で２本の支柱３が連結されてなる中央の浮き柱ユニット１５（図５参照）と、を備えており、浮き柱ユニット１５を構成する一対の支柱３は、下部連結板１３で連結されない分（支柱３の下側部分）だけ本柱ユニット１４を構成する一対の支柱３に比べて高さ寸法が短く設定されている。なお、以下の説明では、本柱ユニット１４を構成する支柱３を本柱３ａともいい、浮き柱ユニット１５を構成する支柱３を浮き柱３ｂともいう。
【００１３】
また、本柱ユニット１４は、一対の本柱３ａ及び中央連結板１２の外形に沿ったＨ形状をなす金属柱４１がビス止めされ、一対の本柱３ａが床面上に対し垂直状になるように金属柱４１を介して土台２（アンカーベース４５）に取り付けられる。但し、島台本体１は、２つの島台ユニット１ａの連結によって構成されることで、後述するような相互に連結される２つの本柱ユニット１４に対しては、１つの金属柱４１のみが取り付けられる（図１参照）。また、金属柱４１には、該金属柱４１を本柱３ａにビス止めするためのビス止め穴４２が複数穿設されており、金属柱４１の下端部分には、アンカーボルト４４を介して金属柱４１をアンカーベース４５に固定するための取付穴４３が複数穿設されている。取付穴４３は、土台２（床面）に対する島台ユニット１ａの高さ位置が調整可能なように上下方向に伸びた長穴形状に形成されている。
【００１４】
上記した左右の本柱ユニット１４及び中央の浮き柱ユニット１５の外側面には、それぞれ複数の遊技機を取り付けるための上側桟木５と、カウンター板６と、が遊技機の高さ寸法とほぼ同一の間隔をあけて島台本体１（島台ユニット１ａ）の長手方向に沿って掛け渡されている。また、各柱ユニット１４，１５の下側部分には、浮き柱ユニット１５を構成する浮き柱３ｂの下端外側面と本柱ユニット１４を構成する下部連結板１３の上端位置に対応する本柱３ａの外側面とを繋ぐようにして桟木としての角棒形状の下側桟木４が設けられている。なお、浮き柱ユニット１５を構成する一対の浮き柱３ｂは、本柱ユニット１４が土台２に取り付けられた状態で、島台本体１の長手方向において隣り合う２つの本柱ユニット１４の間に配置され且つ列設される遊技機の横幅寸法とほぼ同等の寸法の間隔を有してその下端が床面から所定間隔あけて床面上に対し垂直状に配置される。
【００１５】
上側桟木５は、本柱ユニット１４及び浮き柱ユニット１５を構成する支柱３の上端外側面に連結板１６を介して取り付けられている。連結板１６の取付位置となる上側桟木５の上面部分には、所定の高さ寸法を有した立壁板１７が立設され、該立壁板１７の上端部分を繋ぐように掛け渡されて天板１８が取り付けられている。そして、このようにして支柱３の上端に設けられる上側桟木５及び天板１８は、遊技機の上方に配置される図示しない補給樋等を覆い隠すための幕板（図示しない）を取り付けるための固定枠として機能するようになっている。
【００１６】
一方、カウンター板６は、本柱ユニット１４を構成する中央連結板１２と下部連結板１３とのほぼ真ん中の高さ位置で各柱ユニット１４，１５の支柱３の外側面に取り付けられている。カウンター板６は、図７乃至図９に示すように、支柱３との取付側となるその上面部分に、上下二層の補強板２１，２２が一体的に取り付けられている。下側の補強板２２は、カウンター板６における支柱３との取付側となる一端（後端）から他端（前端）側に向けてカウンター板６の短手方向の幅寸法の１／３程度の幅寸法に設定されている。上側の補強板２１は、補強板２２の前端位置から後端側（支柱３との取付側）に向けて補強板２２の１／２程度の幅寸法に設定されている。このため、上下二層の補強板２１，２２は、支柱３との取付側に向けて下り段差状に形成されている。
【００１７】
そして、補強板２１，２２が一体的に取り付けられたカウンター板６は、上下二層の補強板２１，２２における下段差面となる補強板２２の上面部分であり且つ各柱ユニット１４，１５の支柱３と対応する部分に、連結具としてのＬ字状の取付金具２３の下辺２３ａがビス止めされ、この状態で取付金具２３の側辺２３ｂが支柱３の外側面にビス止めされることで、各柱ユニット１４，１５の支柱３の外側面に取り付けられる。なお、補強板２１，２２の前端位置から前方に延びるカウンター板６の上面部分は、遊技機から払い出されるパチンコ玉を収容する玉箱を載置するために水平状に突設されており、その外周部分には装飾用の枠体２４が嵌装されている。また、補強板２１，２２の上面には、遊技機が設置される。
【００１８】
また、カウンター板６の後端側の下面には、図１０に示すように、各柱ユニット１４，１５の支柱３を繋ぐようにして角棒形状の連結補強部材２５と、金属製の補強材としての断面Ｌ字形状の補強金属棒２６と、が設けられている。連結補強部材２５は、その下面部分に補強金属棒２６の下辺２６ａが当接されると共に側面部分に補強金属棒２６の側辺２６ｂが当接され、この状態で補強金属棒２６が取付穴２６ｃ（図７参照）を介してビス止めされることで、補強金属棒２６と一体的に構成されている。そして、このように補強金属棒２６が一体的となった連結補強部材２５は、その上面部分がカウンター板６の後端側の下面に接着剤で接着されることで、各柱ユニット１４，１５を連結するカウンター板６の長手方向における強度を向上するようになっている。
【００１９】
なお、このような連結補強部材２５及び補強金属棒２６の取付方法としては、先ず、各柱ユニット１４，１５の支柱３及び後述の支持板２７と対応する位置に穿設された取付穴２７ｃを介して補強金属棒２６を支柱３及び支持板２７にビス止めし、支柱３及び支持板２７との取り付け以外となる下辺２６ａ及び側辺２６ｂの取付穴２７ｃを介して補強金属棒２６に連結補強部材２５をビス止めするようにしてもよい。さらに、この場合では、補強金属棒２６の下辺２６ａに対して連結補強部材２５を取り付けるためのビスとして長めのものを用いることで、補強金属棒２６と連結補強部材２５とカウンター板６とを一体的にビス止めするようにしてもよい。
【００２０】
また、カウンター板６の下方に位置する支柱３の外側部分には、島台本体１（島台ユニット１ａ）に列設される遊技機の横幅寸法とほぼ同等の寸法の下方空間を仕切るようにして支持板２７が取り付けられている。支持板２７は、その厚み寸法が各柱ユニット１４，１５の支柱３とほぼ同一に形成されており、該支持板２７の上端部分が、上記したカウンター板６の後端側の下面に取り付けられる補強金属棒２６の下辺２６ａと当接した状態で、各柱ユニット１４，１５の支柱３の外側面に支持板２７が取り付けられる。これにより、支持板２７は、カウンター板６をその下面側から支持するようになっている。また、支持板２７の取付先となる本柱ユニット１４又は浮き柱ユニット１５に応じて、支持板２７の高さ寸法が異なって設定されている。本柱ユニット１４に取り付けられる支持板２７（支持板２７ａ）は、その下端部分が前記下側桟木４と当接する高さ寸法に設定されている。一方、浮き柱ユニット１５に取り付けられる支持板２７（支持板２７ｂ）は、その下端部分が補強金属棒２６と下側桟木４とのほぼ真ん中に位置する高さ寸法に設定されている。また、補強金属棒２６が一体的に取り付けられた連結補強部材２５の前面から前方に突出する支持板２７の部分とカウンター板６の下面との間には、その隙間を埋めるようにして連結補強板２８が設けられており、該連結補強板２８による支持板２７とカウンター板６と連結補強部材２５との連結によって、本柱ユニット１４及び浮き柱ユニット１５に対するカウンター板６の取付強度を向上するようになっている。
【００２１】
また、島台ユニット１ａの下側部分（カウンター板６より下側の部分）には、その内部に直方体状の空間ができているが、その空間の内側両面には、各柱ユニット１４，１５の支柱３を連結するように架け渡されて収納空間形成部材としての左右一対の側壁板２９が取り付けられ、また、その下端部分（下側桟木４と同一の高さ位置）に、左右一対の側壁板２９の下端を連結するように収納空間形成部材としての底壁板３０が取り付けられることにより、収容空間３１が形成される（図３乃至図６参照）。なお、収容空間３１を形成する側壁板２９は、カウンター板６の高さ位置から浮き柱３ｂの下端位置、言い換えれば下側桟木４の高さ位置までの高さ寸法に形成されており、これによって、左右一対の側壁板２９及び底壁板３０から形成される収容空間３１の下端位置から下方の部分は、空洞化して形成されている。そして、収納空間３１には、遊技機から排出されるパチンコ玉を回収するための図示しない回収樋（回収手段）が傾斜状に敷設して収納される。また、収納空間３１の外周には、回収樋や島台本体１で循環使用されるパチンコ玉を貯留するための図示しない貯留タンク等を覆い隠すための横長方形状に形成された複数の腰板（図示しない）が取り付けられる。
【００２２】
しかして、以上説明した下側桟木４、上側桟木５、カウンター板６等によって枠組みされる本柱ユニット１４及び浮き柱ユニット１５からなる島台ユニット１ａは、複数（図示の場合には、２つ）が相互に連結されて島台本体１を構成するようになっている。具体的に、一方の島台ユニット１ａの長手方向における一側端面、即ち、島台ユニット１ａの右端の外側面となる本柱ユニット１４を構成する本柱３ａ及び各連結板１１〜１３、本柱ユニット１４の上端に取り付けられる上側桟木５、連結板１６、立壁板１７、及び天板１８、本柱ユニット１４の下側に取り付けられる下側桟木４、カウンター板６、及び支持板２７ａの各外側面が、他方の島台ユニット１ａの長手方向における他側端面（一方の島台ユニット１ａの一側端面と対向する側の面）、即ち、島台ユニット１ａの左端の外側面となる本柱ユニット１４を構成する本柱３ａ及び各連結板１１〜１３、本柱ユニット１４の上端に取り付けられる上側桟木５、連結板１６、立壁板１７、及び天板１８、本柱ユニット１４の下側に取り付けられる下側桟木４、カウンター板６、及び支持板２７ａの各外側面と接着剤によって接着されることで、島台本体１が構成される。
【００２３】
そして、上記した島台本体１は、該島台本体１を構成する本柱ユニット１４の金属柱４１が土台２に取り付けられることで、遊技場の床面上に設置されるようになっている。ここで、島台本体１を床面上に固定する土台２について、図２、図１１、及び図１２を参照して説明する。図において、土台２は、アンカーボルト４４によって床面上に固定される金属製の３つのアンカーベース４５と、該アンカーベース４５上に載置されて島台本体１の高さ位置を調整する高さ調整板４６と、から構成されている。
【００２４】
アンカーベース４５は、床面に当接する水平部分からほぼ直角に立設される立部４７を有し、水平部分の両端部には、アンカーボルト４４を差し込むためのアンカーボルト取付穴（図示しない）が穿設されている。また、立部４７の両端部には、ボルト取付穴４８が形成され、該ボルト取付穴４８と金属柱４１の取付穴４３とが固定ボルト４９及び固定ナット５０によって一体的に固定されるようになっている。
【００２５】
高さ調整板４６は、長方立方体形状の板材から構成され、その高さ寸法が島台本体１を床面上に固定するための３つのアンカーベース４５毎で個々に異なった値に設定されている。これは、前述したように若干なりとも波打った状態にある床面に対して、島台本体１を垂直に設置するためのものであり、床面に固定されるアンカーベース４５上の高さ調整板４６の上面位置を３つのアンカーベース４５でほぼ同一にして島台本体１の３箇所の載置位置が水平となるようにする。
【００２６】
しかして、土台２は、アンカーベース４５の水平部分を左右２本のアンカーボルト４４によって床面上に固定し、該２本のアンカーボルト４４間となるアンカーベース４５の水平部分の上面に高さ調整板４６を載置することで構成される。そして、このような土台２を構成する高さ調整板４６の上面に本柱ユニット１４の金属柱４１の下端を載置し、この状態で金属柱４１の取付穴４３とアンカーベース４５の立部４７に穿設されたボルト取付穴４８とを貫通するように固定ボルト４９を取り付け、該固定ボルト４９に固定ナット５０を螺合することで、水平な状態で床面上に島台本体１が設置される。
【００２７】
以上のように、本実施形態の構成によれば、土台２を構成する複数のアンカーベース４５の各々に対して、金属柱４１を介して床面上に対し垂直状に取り付けられ且つ短手方向に所定間隔を有した一対の本柱３ａからなる木製の複数の本柱ユニット１４と、島台本体１の長手方向において隣り合う２つの本柱ユニット１４の間に配置され且つ列設される遊技機の横幅寸法とほぼ同等の寸法の間隔を有して配置されてその下端が床面から所定間隔あけて床面上に対し垂直状に配置され且つ短手方向に所定間隔を有した一対の浮き柱３ｂからなる木製の浮き柱ユニット１５と、によって島台本体１を構成し、複数の本柱ユニット１４及び浮き柱ユニット１５と直交した状態で当該各ユニット１４，１５の柱３ａ，３ｂを木製の下側桟木４とカウンター板６で連結する。そして、一対の側壁板２９及び底壁板３０からなる収納空間形成部材によってカウンター板６の高さ位置から浮き柱３ｂの下端位置までの高さ寸法で回収樋の収納空間３１を形成して、該収納空間３１の下端位置から下方の部分を空洞化する。このため、下側部分を空洞化した島台本体１の支柱３を木製材料で構成することにより、島台本体１の補修や修繕における作業効率の低下を抑制することができる。また、このような島台本体１の下側部分を空洞化した構成において、各ユニット１４，１５の柱３ａ，３ｂの外側面に取り付けられた支持板２７によってカウンター板６の下面側を支持すると共に、カウンター板６の上面と該カウンター板６の上面側における浮き柱３ｂの外側面とを取付金具２３で連結する。これにより、金属材料に比べて大幅に強度が落ちる木製材料で島台本体１の支柱３を構成したにも拘わらず、島台本体１の剛性を高めることができ、結果として、島台本体１に歪みや変形が生じることを回避することができる。なお、実施形態中では、土台２を構成する複数のアンカーベース４５の各々に対して、金属柱４１を介して間接的に本柱ユニット１４を構成する本柱３ａを取り付けているが、これに限らず、土台２を構成する複数のアンカーベース４５の各々に対して、直接的に本柱ユニット１４を構成する本柱３ａを取り付けるようにしてもよい。
【００２８】
また、カウンター板６の下面と支持板２７の上端面との間で各ユニット１４，１５の柱３ａ，３ｂを連結するように補強金属棒２６を介在して設ける。これにより、島台本体１を構成する各ユニット１４，１５の柱３ａ，３ｂ間に掛け渡されて各ユニット１４，１５間を連結するようにして取り付けられるカウンター板６の強度を高めることができ、結果として、下側部分を空洞化した島台本体１の剛性をより一層高めることができる。
【００２９】
なお、上記した実施形態においては、１つの島台ユニット１ａにおいて、隣り合う本柱ユニット１４の間に１つの浮き柱ユニット１５が設置されるものを示したが、隣り合う本柱ユニット１４の間に列設される遊技機の横幅寸法とほぼ同等の寸法の間隔を有する複数の浮き柱ユニット１５を設けて島台ユニット１ａを構成したものでも良い。
【００３０】
また、本発明における請求項１に記載の「遊技機の横幅寸法とほぼ同等の寸法の間隔」とは、遊技機のみの横幅寸法だけに限定したものではなく、遊技機横幅寸法とその側方に配置される玉貸用ユニットと、隣の遊技機との間隔を埋める間仕切り幅を含んだ間隔であっても良い。また、本実施形態では、カウンター板６についてパチンコ機を載置する場合で説明したが、パチンコ機に代えて遊技機としてのスロット機を載置するカウンター板を採用しても良い。この場合、図示しないスロット用のカウンター板は、補強板２１，２２が無くフラットな状態でスロット機の筐体を載置出来るようになっている。また、本実施形態では、収納空間に収納される回収手段を、パチンコ機から排出されるパチンコ玉を回収するための回収樋としているが、スロット機を本発明に係る遊技機とした場合には、当該スロット機から排出されるコインを回収するためのコンベア装置が回収手段に相当するものとなり、本発明に係る収納空間には、回収手段としてのコンベア装置が収納される。
【符号の説明】
【００３１】
Ａ  遊技島台
１  島台本体
１ａ  島台ユニット
２  土台
３  支柱
３ａ  本柱
３ｂ  浮き柱
４  下側桟木（桟木）
５  上側桟木
６  カウンター板
１１  上部連結板
１２  中央連結板
１３  下部連結板
１４  本柱ユニット
１５  浮き柱ユニット
２１，２２  補強板
２３  取付金具（連結具）
２５  連結補給部材
２６  補強金属棒（補強材）
２７  支持板
２８  連結補強板
２９  側壁板
３０  底壁板
３１  収納空間
４１  金属柱
４３  取付穴
４４  アンカーボルト
４５  アンカーベース
４６  高さ調整板
４９  固定ボルト
５０  固定ナット
【図１】
0005942379.tif 000002
【図２】
0005942379.tif 000003
【図３】
0005942379.tif 000004
【図４】
0005942379.tif 000005
【図５】
0005942379.tif 000006
【図６】
0005942379.tif 000007
【図７】
0005942379.tif 000008
【図８】
0005942379.tif 000009
【図９】
0005942379.tif 000010
【図１０】
0005942379.tif 000011
【図１１】
0005942379.tif 000012
【図１２】
0005942379.tif 000013